(57)【要約】【課題】撮影対象若しくは複写対象となる被写体に対して、撮影許可若しくは複写許可を登録された無線ＩＣタグを付加することで、撮影を許可しない若しくは複写を許可しない撮影機器、複写機等の画像データ生成装置による撮影若しくは複写を禁止する。【解決手段】  画像データ作成装置（３０）は、被写体（１０）に付加された無線ＩＣタグ（２０）に登録されている前記無線ＩＣタグ情報から、前記被写体（１０）に対して画像データの作成が許可されている被写体（１０）かどうかを判断し、前記画像データの作成が許可されている被写体（１０）の場合、前記画像情報に基づいて画像データの作成を行う。【選択図】          図１
2007005936.tif 000002
【特許請求の範囲】
【請求項１】
被写体に付加され、前記被写体に対する画像データの作成の許可に関する無線ＩＣタグ情報が登録されている無線ＩＣタグと、
前記被写体から画像情報を取得し、前記無線ＩＣタグから前記無線ＩＣタグ情報を取得する画像データ作成装置と
を具備し、
前記画像データ作成装置は、前記無線ＩＣタグからの前記無線ＩＣタグ情報から、前記被写体に対して前記画像データの作成が許可されている被写体かどうかを判断し、前記画像データの作成が許可されている被写体の場合、前記画像情報に基づいて画像データの作成を行う
不正撮影防止システム。
【請求項２】
請求項１に記載の不正撮影防止システムにおいて、
前記無線ＩＣタグに、前記無線ＩＣタグ情報を書き込む無線ＩＣタグ情報書き込み装置を更に具備する
不正撮影防止システム。
【請求項３】
請求項２に記載の不正撮影防止システムにおいて、
前記無線ＩＣタグ情報は、
撮影許可フラグを含み、
前記被写体に対して全面的に前記画像データの作成を許可する場合、前記無線ＩＣタグ情報書き込み装置が、前記撮影許可フラグに前記画像データの作成を許可とする情報を書き込み、
前記被写体に対して全面的若しくは部分的に前記画像データの作成を禁止する場合、前記無線ＩＣタグ情報書き込み装置が、前記撮影許可フラグに前記画像データの作成を不許可とする情報を書き込む
不正撮影防止システム。
【請求項４】
請求項３に記載の不正撮影防止システムにおいて、
前記無線ＩＣタグ情報は、
認証コードを更に含み、
前記被写体に対して全面的に前記画像データの作成を禁止する場合、前記無線ＩＣタグ情報書き込み装置が、前記認証コードに前記画像データの作成を不許可とする情報を書き込み、
前記被写体に対して部分的に前記画像データの作成を禁止する場合、前記無線ＩＣタグ情報書き込み装置が、前記認証コードに前記画像データの作成を許可とする情報を書き込み、
前記画像データ作成装置に入力された認証情報と前記認証コードとが一致する場合、前記画像データ作成装置が前記画像データの作成を行う
不正撮影防止システム。
【請求項５】
請求項３に記載の不正撮影防止システムにおいて、
前記無線ＩＣタグ情報は、
撮影許可装置情報を更に含み、
前記被写体に対して全面的に前記画像データの作成を禁止する場合、前記無線ＩＣタグ情報書き込み装置が、前記撮影許可装置情報に前記画像データの作成を許可する装置が無い旨の情報を書き込み、
前記被写体に対して部分的に前記画像データの作成を禁止する場合、前記無線ＩＣタグ情報書き込み装置が、前記撮影許可装置情報に前記画像データの作成を許可する装置の装置情報を書き込み、
前記画像データ作成装置は、保有する装置識別情報と前記装置情報とが一致する場合、前記画像データの作成を行う
不正撮影防止システム。
【請求項６】
被写体の画像情報の取り込み指示を行うための画像データ作成開始指示部と、
前記画像情報を取り込む画像取込部と、
前記被写体に付加された無線ＩＣタグから発信される無線ＩＣタグ情報を受信する無線ＩＣタグ情報入力部と、
前記無線ＩＣタグ情報に含まれる撮影許可フラグに前記画像データの作成を許可とする情報が書き込まれている場合、前記画像情報に基づいて画像データを作成する画像データ作成部と
を具備する
画像データ作成装置。
【請求項７】
請求項６に記載の画像データ作成装置において、
前記画像データ作成の許可を行うための認証情報を入力するための認証入力部を更に具備し、
前記画像データ作成部は、前記無線ＩＣタグ情報に含まれる認証コードと前記認証情報とを比較し、前記認証コードと前記認証情報とが一致する場合、前記画像情報に基づいて画像データを作成する
画像データ作成装置。
【請求項８】
請求項６に記載の画像データ作成装置において、
装置識別情報を登録している装置識別情報保持部を更に具備し、
前記無線ＩＣタグ情報に含まれる撮影許可装置情報に前記装置識別情報が登録されている場合、前記画像データ作成部は、前記画像情報に基づいて画像データを作成する
画像データ作成装置。
【請求項９】
（ａ）被写体の画像情報の取り込み指示を行うステップと、
（ｂ）前記画像情報を取り込むステップと、
（ｃ）前記被写体に付加された無線ＩＣタグから発信される無線ＩＣタグ情報を受信するステップと、
（ｄ）前記無線ＩＣタグ情報に含まれる撮影許可フラグに前記画像データの作成を許可とする情報が書き込まれている場合、前記画像情報に基づいて画像データを作成するステップと
を具備する
不正撮影防止方法。
【請求項１０】
請求項９に記載の不正撮影防止方法において、
（ｅ）前記画像データ作成の許可を行うための認証情報を入力するステップと、
（ｆ）前記無線ＩＣタグ情報に含まれる認証コードと前記認証情報とを比較し、前記認証コードと前記認証情報とが一致する場合、前記画像情報に基づいて画像データを作成するステップを更に具備する
不正撮影防止方法。
【請求項１１】
請求項９に記載の不正撮影防止方法において、
（ｇ）前記無線ＩＣタグ情報に含まれる撮影許可装置情報と一致する装置識別情報を持っている場合、前記画像情報に基づいて画像データを作成するステップを更に具備する
不正撮影防止方法。
【請求項１２】
請求項９乃至１１のいずれか一項に記載の不正撮影防止方法を、コンピュータに実行させるためのプログラム。
【発明の詳細な説明】
【技術分野】
【０００１】
本発明は、無線ＩＣタグを使用した不正撮影に対する不正撮影防止システム、画像データ生成装置、不正撮影防止方法、及びプログラムに関する。
【背景技術】
【０００２】
現在、小型ビデオカメラやデジタルカメラ等が普及したことにより気軽に撮影できる機会が増え、被写体自身が持つ肖像権／著作権等が侵害されるケースが増加している。
【０００３】
この問題に対する従来技術として、特開２００３−０５９１７７号公報にＲＦＩＤ搭載コンピュータ記録媒体利用の情報保護管理プログラムが開示されている。
このプログラムは、ＲＦＩＤ及びコンピュータ記録媒体にそれぞれ識別情報が記録されたＲＦＩＤ搭載コンピュータ記録媒体から情報を読み取り再生する際に、コンピュータに、前記記録媒体及び前記ＲＦＩＤより識別情報を読み取り、双方の識別情報から正しい利用者と認識された時、前記記録媒体に記録されている情報を読み取り再生を可能とする機能を実現させる。
【０００４】
上記の従来技術では、既にデジタル化された画像データ等を含むコンテンツに対してＲＦＩＤを使用し、ＲＦＩＤに登録された識別情報と上記コンテンツを記録した記録媒体の識別情報を比較して一致した場合にのみコンテンツを再生可能とすることで、不正使用防止を実現している。この方法は、既にデジタル化されたデータに対する不正使用防止の手段であり、被写体自身が持つ肖像権／著作権を侵害する不正使用に対して有効な手段となっていない。
【０００５】
関連する技術として特開２００４−１２０３０４号公報に、撮影画像と被写体とを関連付けて管理することができる情報記録装置が開示されている。
この情報記録装置は、被写体を撮影し、撮影により得られた画像データを記録する。また、前記被写体に関する情報が記録されると共に前記被写体に設けられたメモリから、前記被写体に関する情報を非接触通信により読み出す読出手段と、前記読出手段により読み出された被写体に関する情報を、前記被写体を撮影して得られた画像データと関連付けて記録する記録手段とを含むことを特徴としている。
【０００６】
特開２００５−０２０３９８号公報に、撮影によって得られた画像情報を保護することのできるカメラシステム及びデジタルカメラが開示されている。
このカメラシステムは、無線通信装置とデジタルカメラを含む。
前記無線通信装置は、所持者を認証するための認証情報が予め記憶された認証情報記憶手段、及び前記認証情報を無線信号として送信する送信手段を備えている。
前記デジタルカメラは、撮影によって得られた画像情報を記憶するための画像情報記憶手段、前記無線信号を受信する受信手段、及び前記受信手段により受信された前記無線信号によって示される前記認証情報に応じて前記画像情報記憶手段に記憶されている画像情報へのアクセスを制限する制御を行う制御手段を備えている。
【０００７】
特開２００５−０３１７９１号公報に、著作権管理システムが開示されている。
この著作権管理システムでは、原稿及び／又はデータを複写する複写装置と、該原稿及び／又はデータに対する複写の可否を示す情報を含む著作権管理情報を格納する著作権データベースと、入力された送信要求に応じて前記著作権管理情報を当該要求元に送信する著作権管理サーバとがネットワークを介して接続されている。
前記複写装置は、識別コード取得部と、制御部とを備える。前記識別コード取得部は、前記原稿及び／又はデータを識別するための識別コードを該原稿及び／又はデータに埋め込まれた無線タグから取得する。前記制御部は、前記取得された識別コードを前記著作権管理サーバに送信して当該識別コードの原稿及び／又はデータに対する著作権管理情報の送信要求を前記著作権管理サーバに対して行うよう制御すると共に、当該送信要求に応じて該著作権管理サーバから送信される著作権管理情報に基づいて該著作権管理情報に含まれる識別コードの原稿及び／又はデータに対する複写の可否を判定する。
また、前記著作権管理サーバは、前記複写装置から前記識別コードを受信すると、当該受信した識別コードの原稿及び／又はデータに対する著作権管理情報を前記著作権データベースから取得し、当該取得した著作権管理情報を当該複写装置に送信する。
【０００８】
【特許文献１】特開２００３−０５９１７７号公報
【特許文献２】特開２００４−１２０３０４号公報
【特許文献３】特開２００５−０２０３９８号公報
【特許文献４】特開２００５−０３１７９１号公報
【発明の開示】
【発明が解決しようとする課題】
【０００９】
本発明の目的は、撮影対象若しくは複写対象となる衣類、書物、絵画、美術品、建築物、構造物を含む被写体に対して、撮影許可若しくは複写許可を登録された無線ＩＣタグを付加することで、撮影若しくは複写を許可しない撮影機器、複写機等の画像データ生成装置による撮影若しくは複写を禁止する不正撮影防止システム、画像データ生成装置、不正撮影防止方法、及びプログラムを提供することである。
【課題を解決するための手段】
【００１０】
以下に、［発明を実施するための最良の形態］で使用される番号を括弧付きで用いて、課題を解決するための手段を説明する。これらの番号は、［特許請求の範囲］の記載と［発明を実施するための最良の形態］との対応関係を明らかにするために付加されたものである。但し、それらの番号を、［特許請求の範囲］に記載されている発明の技術的範囲の解釈に用いてはならない。
【００１１】
本発明の不正撮影防止システムは、被写体（１０）に付加され、前記被写体（１０）に対する画像データの作成の許可に関する無線ＩＣタグ情報が登録されている無線ＩＣタグ（２０）と、前記被写体（１０）から画像情報を取得し、前記無線ＩＣタグ（２０）から前記無線ＩＣタグ情報を取得する画像データ作成装置（３０）とを具備する。
前記画像データ作成装置（３０）は、前記無線ＩＣタグ（２０）からの前記無線ＩＣタグ情報から、前記被写体（１０）に対して前記画像データの作成が許可されている被写体（１０）かどうかを判断し、前記画像データの作成が許可されている被写体（１０）の場合、前記画像情報に基づいて画像データの作成を行う。
【００１２】
本発明の不正撮影防止システムは、前記無線ＩＣタグ（２０）に、前記無線ＩＣタグ情報を書き込む無線ＩＣタグ情報書き込み装置（３６）を更に具備する。
【００１３】
前記無線ＩＣタグ情報は、撮影許可フラグ（２１）を含む。
前記被写体（１０）に対して全面的に前記画像データの作成を許可する場合、前記無線ＩＣタグ情報書き込み装置（３６）が、前記撮影許可フラグ（２１）に前記画像データの作成を許可とする情報を書き込む。
前記被写体（１０）に対して全面的若しくは部分的に前記画像データの作成を禁止する場合、前記無線ＩＣタグ情報書き込み装置（３６）が、前記撮影許可フラグ（２１）に前記画像データの作成を不許可とする情報を書き込む。
【００１４】
前記無線ＩＣタグ情報は、認証コード（２２）を更に含む。
前記被写体（１０）に対して全面的に前記画像データの作成を禁止する場合、前記無線ＩＣタグ情報書き込み装置（３６）が、前記認証コード（２２）に前記画像データの作成を不許可とする情報を書き込む。
前記被写体（１０）に対して部分的に前記画像データの作成を禁止する場合、前記無線ＩＣタグ情報書き込み装置（３６）が、前記認証コード（２２）に前記画像データの作成を許可とする情報を書き込む。
前記画像データ作成装置（３０）に入力された認証情報と前記認証コード（２２）とが一致する場合、前記画像データ作成装置（３０）が前記画像データの作成を行う。
【００１５】
前記無線ＩＣタグ情報は、撮影許可装置情報（２３）を更に含む。
前記被写体（１０）に対して全面的に前記画像データの作成を禁止する場合、前記無線ＩＣタグ情報書き込み装置（３６）が、前記撮影許可装置情報（２３）に前記画像データの作成を許可する装置が無い旨の情報を書き込む。
前記被写体（１０）に対して部分的に前記画像データの作成を禁止する場合、前記無線ＩＣタグ情報書き込み装置（３６）が、前記撮影許可装置情報（２３）に前記画像データの作成を許可する装置の装置情報を書き込む。
前記画像データ作成装置（３０）は、保有する装置識別情報と前記装置情報とが一致する場合、前記画像データの作成を行う。
【００１６】
本発明の画像データ作成装置（３０）は、被写体（１０）の画像情報の取り込み指示を行うための画像データ作成開始指示部（３５）と、前記画像情報を取り込む画像取込部（３４）と、前記被写体（１０）に付加された無線ＩＣタグ（２０）から発信される無線ＩＣタグ情報を受信する無線ＩＣタグ情報入力部（３１）と、前記無線ＩＣタグ情報に含まれる撮影許可フラグ（２１）に前記画像データの作成を許可とする情報が書き込まれている場合、前記画像情報に基づいて画像データを作成する画像データ作成部（３３）とを具備する。
【００１７】
本発明の画像データ作成装置（３０）は、前記画像データ作成の許可を行うための認証情報を入力するための認証入力部（２２）を更に具備する。前記画像データ作成部（３３）は、前記無線ＩＣタグ情報に含まれる認証コード（２２）と前記認証情報とを比較し、前記認証コード（２２）と前記認証情報とが一致する場合、前記画像情報に基づいて画像データを作成する。
【００１８】
本発明の画像データ作成装置（３０）は、装置識別情報を登録している装置識別情報保持部（３６）を更に具備する。前記無線ＩＣタグ情報に含まれる撮影許可装置情報（２３）に前記装置識別情報が登録されている場合、前記画像データ作成部（３３）は、前記画像情報に基づいて画像データを作成する。
【００１９】
本発明の不正撮影防止方法は、（ａ）被写体（１０）の画像情報の取り込み指示を行うステップと、（ｂ）前記画像情報を取り込むステップと、（ｃ）前記被写体（１０）に付加された無線ＩＣタグ（２０）から発信される無線ＩＣタグ情報を受信するステップと、（ｄ）前記無線ＩＣタグ情報に含まれる撮影許可フラグ（２１）に前記画像データの作成を許可とする情報が書き込まれている場合、前記画像情報に基づいて画像データを作成するステップとを具備する。
【００２０】
本発明の不正撮影防止方法は、（ｅ）前記画像データ作成の許可を行うための認証情報を入力するステップと、（ｆ）前記無線ＩＣタグ情報に含まれる認証コード（２２）と前記認証情報とを比較し、前記認証コード（２２）と前記認証情報とが一致する場合、前記画像情報に基づいて画像データを作成するステップを更に具備する。
【００２１】
本発明の不正撮影防止方法は、（ｇ）前記無線ＩＣタグ情報に含まれる撮影許可装置情報（２３）と一致する装置識別情報を持っている場合、前記画像情報に基づいて画像データを作成するステップを更に具備する。
【００２２】
本発明のプログラムは、上記の不正撮影防止方法をコンピュータに実行させる。
【発明の効果】
【００２３】
撮影若しくは複写を許可しない被写体に対する違法な撮影及び複写を防止する。
【発明を実施するための最良の形態】
【００２４】
以下に、本発明の第１実施形態について添付図面を参照して説明する。
図１に示すように、本発明の不正撮影防止システムは、被写体１０、無線ＩＣタグ２０、撮影若しくは複写装置３０を有する。
【００２５】
被写体１０は、衣類、書物、絵画、美術品、建築物、構造物を含む。
無線ＩＣタグ２０は、撮影若しくは複写の許可に関する情報が登録されている。
撮影若しくは複写装置３０は、無線ＩＣタグ情報入力部３１と、認証入力部３２と、画像データ作成部３３と、画像取込部３４と、画像データ作成開始指示部３５を備えた画像データ作成装置である。
なお、撮影若しくは複写とは、被写体の画像情報を取得し、取得した画像情報に基づいて画像データを作成することである。ここで、画像データは、静止画、動画を問わない。
【００２６】
被写体１０は、図２に示す撮影許可フラグ２１と認証コード２２を持った無線ＩＣタグ２０が貼付されている。但し、実際には、貼付に限らず、無線ＩＣタグ２０が被写体１０と一体となるように付加されていれば良い。
【００２７】
なお、被写体に貼付されている無線ＩＣタグは１つとは限らない。例えば、撮影若しくは複写の範囲に含まれる複数の被写体の各々に無線ＩＣタグが貼付されている場合や、１つの被写体に複数の無線ＩＣタグが貼付されている場合もある。このような場合、各々の無線ＩＣタグは独立した無線ＩＣタグとして個別に扱われるものとする。すなわち、撮影若しくは複写の許可、不許可については各々の無線ＩＣタグについて個別に判定する。
【００２８】
無線ＩＣタグ２０は、撮影許可フラグ２１や認証コード２２といった無線ＩＣタグ情報が登録されており、無線ＩＣタグ情報入力部３１の送信指示により、撮影許可フラグ２１と認証コード２２を無線ＩＣタグ情報入力部３１へ送信する。無線ＩＣタグ２０に登録されている撮影許可フラグ２１と認証コード２２は、図３に示すような無線ＩＣタグ情報書き込み装置４０により書き込みが可能である。
【００２９】
無線ＩＣタグ情報入力部３１は、無線ＩＣタグ２０へ撮影許可フラグ２１と認証コード２２を送信させる指示を出すと共に、無線ＩＣタグ２０から撮影許可フラグ２１と認証コード２２を受信した後、画像データ作成部３３へ撮影許可フラグ２１の情報と認証コード２２の情報を通知する。
【００３０】
認証入力部３２は、撮影若しくは複写装置３０を使用する人物若しくは団体から入力される認証情報を受け取った後、画像データ作成部３３へ認証情報を通知する。
【００３１】
画像データ作成部３３は、無線ＩＣタグ情報入力部３１から通知される撮影許可フラグ２１の情報と認証コード２２の情報と、認証入力部３２から通知される認証情報と、画像取込部３４から送付される画像情報と、画像データ作成開始指示部３５から指示される画像データ作成開始により、画像データを作成する。
【００３２】
画像取込部３４は、被写体１０から送られてくる画像情報を受け取った後、画像作成部３３へ画像情報を通知する。
【００３３】
画像データ作成開始指示部３５は、撮影若しくは複写装置３０を使用する人物若しくは団体から入力される画像データ作成開始情報を受け取った後、画像データ作成部３３へ画像データ作成開始を指示する。
【００３４】
次に、図１〜図４を参照して本実施形態の動作について詳細に説明する。
図１の被写体１０には無線ＩＣタグ２０が貼付されており、無線ＩＣタグ２０は、図２に示されている撮影許可フラグ２１と認証コード２２が書き込まれている。撮影許可フラグ２１と認証コード２２は、図３に示されるように無線ＩＣタグ情報書き込み装置４０を使用して、無線ＩＣタグ２０の中へ書き込まれる。
被写体１０に対して全面的に撮影若しくは複写を許可とする場合、無線ＩＣタグ情報書き込み装置４０を使用して、無線ＩＣタグ２０内の撮影許可フラグ２１に撮影若しくは複写を許可する情報を書き込む。この場合、無線ＩＣタグ２０内の認証コード２２は使用しないため情報を登録しても登録しなくても良い。
被写体１０に対して全面若しくは部分的に撮影若しくは複写を禁止とする場合、無線ＩＣタグ情報書き込み装置４０を使用して、無線ＩＣタグ２０内の撮影許可フラグ２１に撮影若しくは複写を不許可とする情報を書き込む。この場合、同時に認証コード２２にも情報を書き込む必要がある。
被写体１０に対して全面的に撮影若しくは複写を禁止する場合、認証コード２２に撮影若しくは複写を禁止とする情報を書き込む。
被写体１０に対して部分的に撮影若しくは複写を禁止とする場合、認証コード２２に撮影若しくは複写を許可とする情報を書き込む。この撮影若しくは複写を許可とする情報を被写体１０に対する撮影若しくは複写の許可の認証情報として、被写体１０に対する撮影若しくは複写を許可する人物若しくは団体へ通知することにより部分的な撮影若しくは複写の許可を実現する。
【００３５】
部分的な撮影若しくは複写の許可を実現する方法について例を示す。
例えば、撮影若しくは複写の禁止を示す無線ＩＣタグ２０が貼付されている被写体１０を撮影若しくは複写する時、予め料金を支払っておくことで、撮影若しくは複写を許可とするための認証情報を取得できるようにする。この認証情報を認証入力部３２から画像データ作成部３３へ通知した場合、画像データの作成が可能となるようにする。
又は、撮影若しくは複写の禁止を示す無線ＩＣタグ２０が貼付されている被写体１０を撮影した時点で、料金と支払い先を撮影機器に通知するようにする。撮影若しくは複写をしようとする人物若しくは団体は、撮影若しくは複写装置３０から通信機能（図示されず）を用いて、支払い先にクレジットカード番号を通知したり、Ｓｕｉｃａのような電子マネーを支払ったりすることで、撮影若しくは複写を許可とするための認証情報を取得する。この認証情報を認証入力部３２から画像データ作成部３３へ通知した場合、画像データの作成が可能となるようにする。
なお、認証情報は、認証入力部３２から手動で入力するようにしても良い。また、認証入力部３２に登録された認証情報を、認証入力部３２から画像データ作成部３３へ通知するようにしても良い。
但し、実際には、上記の例に限定されるものでは無く、他の方法を用いても良い。
【００３６】
撮影若しくは複写装置３０を使用して被写体１０を撮影若しくは複写しようとする場合のフローチャートを図４に示す。
（１）ステップＳ１０１
撮影若しくは複写装置３０は、被写体１０についての画像データ作成指示を確認する。画像データ作成指示が無ければ指示があるまで待機する。
（２）ステップＳ１０２
画像データ作成指示があれば、被写体１０に付加されている無線ＩＣタグ２０から撮影許可フラグ２１や認証コード２２といった無線ＩＣタグ情報の取り込みを行う。
（３）ステップＳ１０３
撮影若しくは複写装置３０は、取り込んだ撮影許可フラグ２１や認証コード２２に基づいて、被写体１０の撮影若しくは複写が許可されているか確認する。被写体１０の撮影若しくは複写が許可されている場合、ステップＳ１０６の処理に移行する。
（４）ステップＳ１０４
被写体１０の撮影若しくは複写が許可されていない場合、複写装置３０は、撮影若しくは複写装置３０を使用する人物若しくは団体から入力される認証情報の取り込みを行う。
（５）ステップＳ１０５
複写装置３０は、認証コード２２と認証情報が一致するかどうか確認する。一致していなければ、この時点で、被写体１０の撮影若しくは複写に関する作業を終了する。
（６）ステップＳ１０６
ステップＳ１０３において、被写体１０の撮影若しくは複写が許可されている場合、又は、認証コード２２と認証情報が一致する場合、被写体１０から送られてくる画像情報の取り込みを行う。
（７）ステップＳ１０７
複写装置３０は、被写体１０から送られてくる画像情報に基づいて、被写体１０の画像データを作成する。
【００３７】
図５に、被写体１０を撮影若しくは複写しようとする場合の、撮影若しくは複写装置３０の内部構成の動作を示すシーケンス図を示す。
撮影若しくは複写装置３０を使用する人物若しくは団体が、被写体１０を撮影若しくは複写しようとする場合、撮影若しくは複写装置３０を使用する人物若しくは団体から撮影若しくは複写装置３０内の画像データ作成開始指示部３５を使用して画像データ作成開始情報を撮影若しくは複写装置３０へ通知する。
（１）ステップＳ２０１
画像データ作成開始指示部３５は、撮影若しくは複写装置３０を使用する人物若しくは団体から通知された画像データ作成開始情報を受け取った後、撮影若しくは複写装置３０内の画像データ作成部３３へ画像データ作成開始を指示する。画像データ作成部３３は画像データ作成開始指示部３５を使用して通知された画像データ作成開始の指示を受信する。
（２）ステップＳ２０２
次に、画像データ作成部３３は、撮影若しくは複写装置３０内の無線ＩＣタグ情報入力部３１に対して、被写体１０に貼付されている無線ＩＣタグ２０から、無線ＩＣタグ２０内に書き込まれている撮影許可フラグ２１や認証コード２２といった無線ＩＣタグ情報を取得するように指示する。
（３）ステップＳ２０３
無線ＩＣタグ情報入力部３１は、画像データ作成部３３からの指示により無線ＩＣタグ２０に対して撮影許可フラグ２１と認証コード２２を送付するように指示する。
この時、無線ＩＣタグ情報入力部３１は、電波や電磁波で無線ＩＣタグ２０と交信し、無線ＩＣタグ２０に記録されている撮影許可フラグ２１と認証コード２２を読み取るようにしても良い。
（４）ステップＳ２０４
無線ＩＣタグ２０は、無線ＩＣタグ情報入力部３１から通知された指示により、無線ＩＣタグ２０内に書き込まれた撮影許可フラグ２１と認証コード２２を、無線ＩＣタグ情報入力部３１へ送付する。
（５）ステップＳ２０５
無線ＩＣタグ情報入力部３１は、無線ＩＣタグ２０から送付されてきた撮影許可フラグ２１と認証コード２２を受信した後、画像データ作成部３３へ、撮影許可フラグ２１と認証コード２２を送付する。画像データ作成部３３は、無線ＩＣタグ情報入力部３１を使用して送付されてきた撮影許可フラグ２１と認証コード２２を受信する。
（６）ステップＳ２０６
次に、画像データ作成部３３は受信した撮影許可フラグ２１をチェックして撮影若しくは複写装置３０が被写体１０を撮影若しくは複写する許可を持っているか確認する。
（７）ステップＳ２０７
ここで、撮影許可フラグ２１に撮影若しくは複写を許可する情報が書き込まれていた場合、画像データ作成部３３は、画像取込部３４に被写体１０から送られてくる画像情報を送付するよう指示する。
（８）ステップＳ２０８
撮影若しくは複写装置３０内の画像取込部３４は、被写体１０から送られてくる画像情報を受け取った後、画像データ作成部３３へ画像情報を送付する。
（９）ステップＳ２０９
画像データ作成部３３は、画像取込部３４を使用して送付されてきた画像情報を使用して画像データを作成する。
（１０）ステップＳ２１０
次に、撮影許可フラグ２１に撮影若しくは複写を不許可とする情報が書き込まれていた場合、画像データ作成部３３は、認証入力部３２に撮影若しくは複写装置３０を使用する人物若しくは団体から入力される認証情報を通知するよう指示する。
この時、通常は画像データ作成部３３が認証入力部３２からの認証情報の通知を受け付けないようにしておき、不許可とする情報を確認した時点で、画像データ作成部３３が認証入力部３２からの認証情報の通知を受け付けるようにしても良い。
（１１）ステップＳ２１１
撮影若しくは複写装置３０内の認証入力部３２は、撮影若しくは複写装置３０を使用する人物若しくは団体から入力される認証情報を受け取った後、画像データ作成部３３へ認証情報を通知する。
（１２）ステップＳ２１２
画像データ作成部３３は、認証入力部３２を使用して送付されてきた認証情報と無線ＩＣタグ情報入力部３１を使用して送付されてきた認証コード２２を比較する。
ここで、認証コード２２と認証情報が不一致となる場合、撮影若しくは複写装置３０は、被写体１０に対する撮影若しくは複写する許可を持ち合わせていないことになり、画像作成部３３は画像データを作成しない。
（１３）ステップＳ２１３
認証コード２２と認証情報が一致する場合、画像データ作成部３３は、画像取込部３４に被写体１０から送られてくる画像情報を送付するよう指示する。
（１４）ステップＳ２１４
撮影若しくは複写装置３０内の画像取込部３４は被写体１０から送られてくる画像情報を受け取った後、画像データ作成部３３へ画像情報を送付する。
（１５）ステップＳ２１５
画像データ作成部３３は、画像取込部３４を使用して送付されてきた画像情報を使用して画像データを作成する。
【００３８】
次に、本発明の第２実施形態について、図１と図２と図３と図６と図７を参照して説明する。
図６に示すように、本発明の不正撮影防止システムは、被写体１０、無線ＩＣタグ２０、撮影若しくは複写装置３０を有する。
被写体１０及び無線ＩＣタグ２０は、第１実施形態と同様である。
撮影若しくは複写装置３０は、無線ＩＣタグ情報入力部３１と、画像データ作成部３３と、画像取込部３４と、画像データ作成開始指示部３５と、装置識別情報保持部３６を備えている。
また、図７に示すように、無線ＩＣタグ２０に登録されている無線ＩＣタグ情報は、撮影許可フラグ２１と撮影許可装置情報２３を含む。
【００３９】
本実施形態においては、図１の認証入力部３２が、撮影若しくは複写装置３０が持つ装置識別情報を登録している装置識別情報保持部３６に変更された点と、図２の認証コード２２が被写体１０に対する撮影を許可する撮影若しくは複写装置３０を特定する撮影許可装置情報２３へ変更された点の２つが第１実施形態と異なる。
【００４０】
すなわち、本実施形態では、「被写体１０」に対する撮影若しくは複写を許可する「撮影若しくは複写装置３０」を「無線ＩＣタグ２０」に「撮影許可装置情報２３」として予め登録しておき、登録されている撮影若しくは複写装置３０のみ、被写体１０の撮影若しくは複写を行うことができるようにしている。
【００４１】
次に、本実施形態の動作について詳細に説明する。
図６の被写体１０には無線ＩＣタグ２０が貼付されており、無線ＩＣタグ２０は、図７に示されている撮影許可フラグ２１と撮影許可装置情報２３が書き込まれている。撮影許可フラグ２１と撮影許可装置情報２３は、図３に示されるように無線ＩＣタグ情報書き込み装置４０を使用して、無線ＩＣタグ２０の中へ登録される。被写体１０に対して全面的に撮影若しくは複写を許可とする場合までの動作は、第１実施形態と同様である。
被写体１０に対して全面若しくは部分的に撮影若しくは複写を禁止とする場合、無線ＩＣタグ情報書き込み装置４０を使用して、無線ＩＣタグ２０内の撮影許可フラグ１０に撮影若しくは複写を不許可とする情報を書き込む。この場合、同時に撮影許可装置情報２３にも情報を書き込む必要がある。
被写体１０に対して全面的に撮影若しくは複写を禁止する場合、撮影許可装置情報２３に撮影若しくは複写を許可する装置が無い旨を書き込む。
なお、撮影若しくは複写を許可する装置とは、被写体１０の撮影若しくは複写を許可された「撮影若しくは複写装置３０」のことである。
被写体１０に対して部分的に撮影若しくは複写を禁止する場合、撮影許可装置情報２３に撮影若しくは複写を許可する装置の装置情報を書き込む。この撮影若しくは複写を許可する装置の装置情報を持つことで、撮影若しくは複写できる装置を特定することが可能になり、被写体１０の部分的な撮影若しくは複写の許可を実現する。
【００４２】
次に撮影若しくは複写装置３０を使用して被写体１０を撮影若しくは複写しようとする場合について説明する。画像データ作成部３３が受信した撮影許可フラグ２１をチェックして、撮影許可フラグ２１に撮影若しくは複写を許可する情報が書き込まれていた場合までの動作は、第１実施形態と同様である。
【００４３】
しかし、撮影許可フラグ２１に撮影若しくは複写を不許可とする情報が書き込まれていた場合、装置識別情報保持部３６は画像データ作成部３３へ装置識別情報を通知する。画像データ作成部３３は、装置識別情報保持部３６から送付されてきた装置識別情報と無線ＩＣタグ情報入力部３１を使用して送付されてきた撮影許可装置情報２３を比較する。ここで、撮影許可装置情報２３と装置識別情報が一致する場合、撮影若しくは複写装置３０内の画像取込部３４は被写体１０から送られてくる画像情報を受け取った後、画像データ作成部３３へ画像情報を送付する。画像データ作成部３３は、画像取込部３４を使用して送付されてきた画像情報を使用して画像データを作成する。
【００４４】
また、撮影許可フラグ２１に撮影若しくは複写を不許可とする情報が書き込まれていた場合で、かつ撮影許可装置情報２３に撮影若しくは複写を許可する装置の情報が無かった場合、撮影若しくは複写装置３０は、被写体１０に対する撮影若しくは複写する許可を持ち合わせていないことになり、画像作成部３３は画像データを作成しない。
【００４５】
本実施形態を用いれば、例えば、被写体を撮影する際、特定のメーカー製の撮影機器や、特定の機種の撮影機器のみ撮影を許可とするようにすることが可能となる。この場合、特定のメーカーを示す識別情報や、特定の機種の製品番号（シリアルナンバー）又は機種名（型番）を撮影許可装置情報として無線ＩＣタグに登録しておき、これらの撮影許可装置情報と一致する装置情報を持つ撮影機器に対して撮影の許可を行うようにする。被写体の複写を行う場合についても同様である。但し、実際には上記の例に限定されない。
【００４６】
本発明は、肖像権や著作権等の権利に関する全ての分野において利用可能である。
【００４７】
衣類、書物、絵画、美術品、建築物、構造物を含む被写体１０は、撮影許可若しくは複写許可の情報が登録された無線ＩＣタグ２０を持つ。撮影若しくは複写装置３０は、無線ＩＣタグ２０から発信される情報を受信する無線ＩＣタグ情報入力部３１と、撮影許可若しくは複写許可を行うための認証情報を入力する認証入力部３２と、被写体１０からの画像を撮影若しくは複写装置３０内で使用できる画像データへ変換する画像データ作成部３３と、被写体１０の画像を取り込む画像取込部３４と、被写体１０に対する画像データ取込指示を行う画像データ作成開始指示部３５を持つ。撮影若しくは複写装置３０は、被写体１０が持つ無線ＩＣタグ２０の撮影許可若しくは複写許可の情報から、撮影若しくは複写が許可される被写体１０かどうかを判断し、画像データの作成を行う。これにより撮影若しくは複写が許可されていない被写体１０の場合、画像データの作成が行われないため、違法な撮影若しくは複写から被写体１０を守ることが可能となる。
【００４８】
以上のように、本発明によれば、被写体に対する撮影若しくは複写の許可情報を登録した無線ＩＣタグを被写体に貼付し、被写体に対する撮影若しくは複写の許可を与えたい人物若しくは団体に、その撮影若しくは複写の認証情報を配布する。その後、その人物若しくは団体が被写体を撮影若しくは複写する時に、撮影若しくは複写装置にその無線ＩＣタグの許可情報を読み取らせ、被写体を撮影若しくは複写しようとしている人物若しくは団体が入力した認証情報と無線ＩＣタグの許可情報を比較した後、条件が一致した場合にのみ撮影若しくは複写装置で画像データを作成させることにより、被写体自身が持つ肖像権／著作権を侵害するような不正使用に対して有効な防止手段を提供することができる。
【図面の簡単な説明】
【００４９】
【図１】図１は、本発明の第１実施形態の構成を示すブロック図である。
【図２】図２は、第１実施形態の無線ＩＣタグ情報のデータ構成を示す図である。
【図３】図３は、無線ＩＣタグ情報の書き込みを行う装置を示すブロック図である。
【図４】図４は、本発明の第１実施形態の動作を示すフローチャートである。
【図５】図５は、本発明の第１実施形態の詳細な動作を示すシーケンス図である。
【図６】図６は、本発明の第２実施形態の構成を示すブロック図である。
【図７】図７は、第２実施形態の無線ＩＣタグ情報のデータ構成を示す図である。
【符号の説明】
【００５０】
１０…  被写体
２０…  無線ＩＣタグ
２１…  撮影許可フラグ
２２…  認証コード
２３…  撮影許可装置情報
３０…  撮影若しくは複写装置
３１…  無線ＩＣタグ情報入力部
３２…  認証入力部
３３…  画像データ作成部
３４…  画像取込部
３５…  画像データ作成開始指示部
３６…  装置識別情報保持部
４０…  無線ＩＣタグ情報書き込み装置
【図１】
2007005936.tif 000003
【図２】
2007005936.tif 000004
【図３】
2007005936.tif 000005
【図４】
2007005936.tif 000006
【図５】
2007005936.tif 000007
【図６】
2007005936.tif 000008
【図７】
2007005936.tif 000009